(57)【要約】【課題】フィルム除去装置において、フィルムを搬送するための搬送路が容器によって塞がれることを防止する。【解決手段】容器からフィルムを除去するフィルム除去装置１０００は、容器１０からフィルム１２を剥離する剥離部２０と、剥離部２０によって剥離されたフィルム１２をエアーで搬送するエアー搬送路３０と、エアー搬送路３０の途中かつ下方に配置され、フィルム１２及び容器１０のうち容器１０を回収する容器回収部４０とを備える。容器回収部４０は、容器１０を落下させる一方、フィルム１２を落下させないフィルタ４４を含む。【選択図】図１
2006335387.tif 000002
【特許請求の範囲】
【請求項１】
容器からフィルムを除去するフィルム除去装置であって、
容器からフィルムを剥離する剥離部と、
前記剥離部によって剥離されたフィルムをエアーで搬送するエアー搬送路と、
前記エアー搬送路の途中かつ下方に配置され、フィルム及び容器のうち容器を回収する容器回収部とを備え、
前記容器回収部は、容器を落下させる一方、フィルムを落下させないフィルタを含む、
ことを特徴とするフィルム除去装置。
【請求項２】
前記エアー搬送路は、湾曲部を有し、
前記容器回収部は、前記湾曲部、又は、前記湾曲部の近傍かつ前記搬送路における上流側に配置されている、
ことを特徴とする請求項１に記載のフィルム除去装置。
【請求項３】
前記フィルタは、間隔をもって配置された複数本の伸縮性部材を含むことを特徴とする請求項１又は請求項２に記載のフィルム除去装置。
【請求項４】
前記複数本の伸縮性部材は、前記エアー搬送路によるフィルムの搬送方向に対してほぼ平行に配置されていることを特徴とする請求項３に記載のフィルム除去装置。
【請求項５】
前記エアー搬送路の水平方向における幅は、容器の高さよりも短いことを特徴とする請求項４に記載のフィルム除去装置。
【発明の詳細な説明】
【技術分野】
【０００１】
本発明は、容器からフィルムを除去するフィルム除去装置に関する。
【背景技術】
【０００２】
ビール瓶は、市場から回収され、洗浄・殺菌等が施されて再利用されうる。一般に小瓶、中瓶、大瓶と呼ばれるビール瓶は、フィルムでラッピングされることなく出荷されるが、より大きな特大瓶と呼ばれる瓶の中には、フィルムでラッピングされて出荷されるものがある。
フィルムでラッピングされた瓶は、一般には、市場から回収された後にデシュリンンカーと呼ばれるフィルム除去装置によってフィルムが剥がされた後に洗浄・殺菌されて再利用される。
なお、ここでは、一例として特定のビール瓶について説明したが、フィルムでラッピングされる容器は、小瓶、中瓶、大瓶と呼ばれるようなビール瓶であってもよいし、ビール瓶以外の容器であってもよい。
【特許文献１】特開２００２−０６８１４９号公報
【特許文献２】特開平１０−２６３４９５号公報
【発明の開示】
【発明が解決しようとする課題】
【０００３】
フィルム除去装置によって剥離されたフィルムは、エアー搬送路を通して減溶機に送られて処理される。エアー搬送路には、通常は、容器から剥離されたフィルムのみが送り込まれるが、容器に対してキャップが斜めに付されていたり、異種の容器がフィルム除去装置に提供されたりすると、容器がフィルム除去装置のコンベアから落下してエアー搬送路に進入してしまうことがある。
容器がエアー搬送路に進入すると、容器はエアー搬送路の下流側の絞り部まで搬送されて絞り部を塞ぎうる。すると、その後に送り込まれるフィルムによってエアー搬送路が詰まることになる。このような状況では、フィルム除去装置の停止は避けられず、生産性が大きく低下する。しかも、フィルムによってエアー搬送路が長距離にわたって詰まってしまうと、それを除去するために多大な時間が必要となる。
【０００４】
本発明は、上記の課題認識を基礎としてなされたものであり、フィルムを搬送するためのエアー搬送路が容器によって塞がれることを防止することを目的とする。
【課題を解決するための手段】
【０００５】
本発明のフィルム除去装置は、容器からフィルムを除去するフィルム除去装置として構成され、容器からフィルムを剥離する剥離部と、前記剥離部によって剥離されたフィルムをエアーで搬送するエアー搬送路と、前記エアー搬送路の途中かつ下方に配置され、フィルム及び容器のうち容器を回収する容器回収部とを備え、前記容器回収部が、容器を落下させる一方、フィルムを落下させないフィルタを含むことを特徴とする。
【０００６】
本発明の好適な実施形態によれば、前記エアー搬送路が、湾曲部を有し、前記容器回収部が、前記湾曲部、又は、前記湾曲部の近傍かつ前記搬送路における上流側に配置されていることが好ましい。
【０００７】
本発明の好適な実施形態によれば、前記フィルタは、間隔をもって配置された複数本の伸縮性部材を含むことが好ましい。
【０００８】
本発明の好適な実施形態によれば、前記複数本の伸縮性部材は、前記エアー搬送路によるフィルムの搬送方向に対してほぼ平行に配置されていることが好ましい。
【０００９】
本発明の好適な実施形態によれば、前記エアー搬送路の水平方向における幅が容器の高さよりも短いことが好ましい。
【発明の効果】
【００１０】
本発明によれば、フィルムを搬送するためのエアー搬送路が容器によって塞がれることが防止される。
【発明を実施するための最良の形態】
【００１１】
以下、添付図面を参照しながら本発明の好適な実施形態を説明する。
【００１２】
図１は、本発明の好適な実施形態のフィルム除去装置の概略構成を示す図である。本発明の好適な実施形態のフィルム除去装置１０００は、例えば、ビール瓶等の容器１０からフィルムを除去するように構成されうる。フィルム除去装置１０００は、容器１０からシュリンクフィルム等のフィルム１２を剥離する剥離部２０を備えている。剥離部２０は、例えば、ウォータージェットノズル２２と、複数の容器１０を図１においてＸ方向に連続的に搬送するコンベア２４と、容器１０の転倒又はコンベア２４からの落下を防止するように容器１０の口部等をガイドするガイド２６と、ウォータージェットノズル２２から噴射されるウォータージェットによって破断されたフィルム１２を下方に吹き飛ばすためのブロアー２８等を含んで構成されうる。
【００１３】
フィルム除去装置１０００は、更に、剥離部２０によって剥離されたフィルム１２をエアーで搬送するエアー搬送路３０と、エアー搬送路３０の途中かつ下方に配置され、フィルム１２及び容器１０のうち容器１０を回収する容器回収部４０とを備えている。
【００１４】
エアー搬送路３０の下流には、減溶機５０が配置され、吸引装置６０によってエアー搬送路３０内のフィルム１２が減溶機５０に引き込まれる。エアー搬送路３０の上流側かつ剥離部２０の下方には、剥離されたフィルム１２をエアー搬送路３０の下流方向に送り込むためのブロアー７０が設けられている。このような構成において、ブロアー７０及び吸引装置６０によってフィルム１２がエアー搬送される。更に、エアー搬送路３０の途中にも、エアー搬送路３０の下流方向にフィルム１２を搬送するためのブロアーを設けてもよい。
【００１５】
一般には、エアー搬送路３０には、容器１０から剥離されたフィルム１２のみが送り込まれる。しかしながら、例えば、容器１０に対してキャップが斜めに付されていたり、異種の容器１０がフィルム除去装置１０００（より具体的には、剥離部２０）に提供されたりすると、容器１０がガイド２６によって適正にガイドされず、コンベア２４から落下することがありうる。このような場合には、エアー搬送路３０に容器１０が進入することになる。
エアー搬送路３０は、典型的には遠隔位置に配置された減溶機５０にフィルム１２を搬送する。剥離部２０と減溶機５０との距離は、１００メートル以上にも及ぶ場合がある。したがって、エアー搬送路３０による搬送能力（典型的には、吸引装置６０の吸引能力）は、そのように長い経路を通してフィルム１２を搬送することができるように設計され、容器１０までもエアー搬送路３０を通して十分に搬送されうる。
容器回収部４０は、このようにしてエアー搬送路３０を搬送されうる容器１０を回収するために設けられている。容器回収部４０は、容器１０を回収するための箱又は容器搬送路４２と、容器１０を箱又は容器搬送路４２に落下させる一方、フィルム１２を落下させないフィルタ４４を含む。
【００１６】
図２及び図３は、容器回収部４０の構成例を示す図である。フィルタ４０は、例えば、間隔をもって配置された複数本のゴム紐（伸縮性部材）４４ａを含んで構成されることが好ましい。複数本のゴム紐４４ａは、互いにほぼ平行に配置された部分を含むことが好ましい。フィルタ４０上に容器１０が搬送されてくると、図３に模式的に示すように、容器１０の自重によって複数本のゴム紐４４ａの間に相応の隙間が形成され、その隙間を通して容器１０が自重によって箱又は容器搬送路４２に落下する。一方、フィルタ４４上に容器１０が搬送されてこない正常な状態においては、複数本のゴム紐４４ａ間の間隔を広げる力が作用しないので、図２に例示的に示すように、複数本のゴム紐４４ａは、正常な状態を維持する。
【００１７】
ここで、ゴム紐４４ａに代えて、他の伸縮性部材を採用することもできる。他の伸縮性部材としては、例えば、コイルバネ、又は、コイルバネを一部に含む部材が好適である。
【００１８】
フィルム１２は、容器１０に比べて極めて重量が小さいので、容器１０に比べて極めて高速にエアー搬送路３０内を直線的に搬送される。また、フィルム１２がその自重によって複数本のゴム紐４４ａの間隔を広げることもない。したがって、フィルム１２は、箱又は容器搬送路４２に落下することはない。
複数本のゴム紐４４ａは、エアー搬送路３０によるフィルム１２の搬送方向にほぼ平行に配置されていることが好ましい。これは、通常は、容器１０は、その口部又は底部が概ね搬送方向の下流に向いた状態でエアー搬送路３０を搬送されるからである。このように口部又は底部が概ね搬送方向の下流に向いた状態で容器１０がエアー搬送路３０を通して搬送されると、搬送方向にほぼ平行に配置された複数本のゴム紐４４ａの間隔が容器１０の円筒状の胴部によって容易に広げられ、これによって容器１０が落下する。
容器１０がその口部又は底部が概ね搬送方向の下流に向いた状態でエアー搬送路３０を搬送されることをより確実にするためには、エアー搬送路３０の水平方向における幅Ｄは、容器１０の高さＨよりも短いことが好ましい。
【００１９】
エアー搬送路３０は、搬送経路を湾曲させる湾曲部３２を有しうる。この場合、容器回収部４０は、湾曲部３２、又は、図１に例示的に示すように湾曲部３２の近傍かつエアー搬送路３０における上流側（ブロアー７０側）に配置されることが好ましい。このような位置に容器回収部４０を配置することによって、湾曲部３２によって減速させられる容器１０を効果的に容器回収部４０によって回収することができる。
【図面の簡単な説明】
【００２０】
【図１】本発明の好適な実施形態のフィルム除去装置の概略構成を示す図である。
【図２】容器回収部の構成例を示す図である（容器がない状態）。
【図３】容器回収部の構成例を示す図である（容器が回収される状態）。
【符号の説明】
【００２１】
１０  容器
１２  フィルム
２０  剥離部
２２  ウォータージェットノズル
２４  コンベア
２６  ガイド
２８  ブロアー
３０  エアー搬送路
３２  湾曲部
４０  容器回収部
４２  箱又は容器搬送路
４４  フィルタ
４４ａ  ゴム紐
５０  減溶機
６０  吸引装置
７０  ブロアー
【図１】
2006335387.tif 000003
【図２】
2006335387.tif 000004
【図３】
2006335387.tif 000005